(57)【要約】【課題】短い撮影時間で、かつ、十分な枚数のスライス画像の取得が可能な、被検体の体動を検出して補正する機能を有するＭＲＩ装置を実現する。【解決手段】時刻tnで標的部位３５はスライス２５〜２８の位置にある。所定のパルスシーケンスを実行するとスライス２１〜２４、２９〜３２の磁気スピンは１８０°励起され、スライス２５〜２８の磁気スピンは９０°励起されスライス２１〜２４、２９〜３２の磁気スピンは１８０°回転しスライス２５〜２８の磁気スピンは９０°回転している。時刻tn+1で標的部位３５はスライス２６〜２９の位置にありスライス２１〜２４、２９〜３２の磁気スピンは１８０°励起されスライス２５〜２８の磁気スピンは９０°励起されスライス２９の磁気スピンは２７０°回転している。スライス２９における磁気スピン検出により３５の標的部位がスライス幅だけ移動したことが算出できる。【選択図】図２
2008067781.tif 000002
【特許請求の範囲】
【請求項１】
静磁場発生手段と、傾斜磁場生手段と、高周波信号送信手段と、高周波信号受信手段と、この高周波信号受信手段が受信したエコー信号に基づいて被検体の画像を再構成し、表示する信号処理表示手段と、上記静磁場発生手段、傾斜磁場生手段、高周波信号送信手段、高周波信号受信手段及び信号処理表示手段を制御する制御手段とを有する磁気共鳴イメージング装置において、
上記制御手段は、
被検体の体動方向に設定されたマルチスライス方向に、被検体の複数のスライス画像を撮像させ、上記複数のスライス画像のうちの少なくとも一方の端部領域に位置するスライス画像の画像信号に基づいて、被検体の体動情報を検出し、検出した体動情報を用いて上記複数のスライス画像の位置補正を行うことを特徴とする磁気共鳴イメージング装置。
【請求項２】
請求項１記載の磁気共鳴イメージング装置において、上記制御手段は、上記複数のスライス画像の両側端部領域に位置する複数のスライス画像の画像信号に基づいて、被検体の体動情報を検出し、検出した体動情報を用いて上記複数のスライス画像の位置補正を行うことを特徴とする磁気共鳴イメージング装置。
【請求項３】
請求項１記載の磁気共鳴イメージング装置において、上記複数のスライス画像データを格納する画像データメモリを備え、上記制御手段は、被検体の体動前の複数のスライス画像に基づき、上記被検体の撮像部位のそれぞれに対応する上記画像データメモリの記憶領域を定め、上記体動情報に従って、被検体の体動後に撮像された複数のスライス画像が、上記被検体の撮像部位に対応する上記画像データメモリの記憶領域に格納されるよう並び替えることを特徴とする磁気共鳴イメージング装置。
【請求項４】
請求項１記載の磁気共鳴イメージング装置において、上記制御手段は、上記被検体の体動情報に従って、被検体の撮像部位が同一位置に戻るタイミングを算出し、そのタイミングで上記被検体を撮像することを特徴とする磁気共鳴イメージング装置。
【請求項５】
請求項３記載の磁気共鳴イメージング装置において、上記制御手段は、上記被検体の体動後に撮像された複数のスライス画像の並び替えにより、欠落するスライス画像が発生した場合は、この欠落したスライス画像に対応する画像を撮像し、上記画像データメモリに格納することを特徴とする磁気共鳴イメージング装置。
【請求項６】
請求項３記載の磁気共鳴イメージング装置において、上記制御手段は、複数個の高周波信号受信手段を用いて撮像するパラレルイメージングにより被検体のスライス画像を撮像させ、上記被検体の体動後に撮像された複数のスライス画像の並び替えにより、欠落するスライス画像が発生した場合は、上記パラレルイメージングにより得られた画像を用いて、上記欠落したスライス画像に対応する画像を上記画像データメモリに格納することを特徴とする磁気共鳴イメージング装置。
【発明の詳細な説明】
【技術分野】
【０００１】
本発明は、磁気共鳴イメージング装置（ＭＲＩ装置）に係わり、特に、被検体の体動を検出する機能を有するＭＲＩ装置に関する。
【背景技術】
【０００２】
ＭＲＩ装置においては、被検体の呼吸体動による画質劣化を低減するゲート法が知られている。ゲート法を用いたイメージングは、特許文献１に記載されているように、横隔膜の一部を励起した信号をトリガーとして、横隔膜の動きに合わせて撮影断面を移動させるものである。
【０００３】
すなわち、撮影断面を被検体の体軸方向に移動させることにより体軸方向の動きを相殺し、被検体が相対的に静止した状態を作り出している。
【０００４】
【特許文献１】特開２００４−５７２２６号公報
【発明の開示】
【発明が解決しようとする課題】
【０００５】
しかしながら、従来の技術にあっては、被検体の横隔膜の動きを検知するため、ナビゲーションエコー信号を取得しなければならず、このため、被検体のスライス画像取得枚数を減少しなければならないという問題点があった。また、ナビゲーションエコー信号の発生取得により撮影時間が延長してしまうという問題点もある。
【０００６】
さらに、被検体の横隔膜の信号をトリガーとするためには、通常の撮影パルスシーケンスに加えて横隔膜の選択とトリガー信号発生のための第２のパルスシーケンスが追加されることになり、撮影手順全体が煩雑となっていた。
【０００７】
本発明の目的は、短い撮影時間で、かつ、十分な枚数のスライス画像の取得が可能な、被検体の体動を検出して補正する機能を有するＭＲＩ装置を実現することである。
【課題を解決するための手段】
【０００８】
本発明の磁気共鳴イメージング装置は、静磁場発生手段と、傾斜磁場生手段と、高周波信号送信手段と、高周波信号受信手段と、この高周波信号受信手段が受信したエコー信号に基づいて被検体の画像を再構成し、表示する信号処理表示手段と、制御手段とを有する。そして、上記制御手段は、被検体の体動方向に設定されたマルチスライス方向に、被検体の複数のスライス画像を撮像させ、上記複数のスライス画像のうちの少なくとも一方の端部領域に位置するスライス画像の画像信号に基づいて、被検体の体動情報を検出し、検出した体動情報を用いて上記複数のスライス画像の位置補正を行う。
【発明の効果】
【０００９】
短い撮影時間で、かつ、十分な枚数のスライス画像の取得が可能な、被検体の体動を検出して補正する機能を有するＭＲＩ装置を実現することができる。
【発明を実施するための最良の形態】
【００１０】
以下、本発明の実施形態について、添付図面を参照して説明する。
【００１１】
図１５は、本発明が適用されるＭＲＩ装置の概略構成図である。図１５において、ＭＲＩ装置は、均一な磁場空間を発生するための超伝導コイル１と、ｘ、ｙ、ｚの３軸方向に沿って磁場強度が線形に変化する傾斜磁場を発生するための３組の傾斜磁場発生コイル２と、被検体１０の磁気共鳴を誘起するための高周波磁場発生コイル３と、被検体の磁気共鳴信号を検出するための受信コイル４と、傾斜磁場電源５と、高周波磁場電源６とを備える。
【００１２】
さらに、ＭＲＩ装置は、被検体を静磁場発生コイル内に搬送する寝台７と、上記傾斜磁場発生コイル２、高周波磁場発生コイル３、及び受信コイル４の動作を制御する制御ユニット８と、制御命令、画像再構成、および画像表示を行う操作卓９とを備える。なお、ここでは超伝導コイル１の中心軸方向をｚ方向と定義する。
【００１３】
図１は、本発明の一実施形態を説明するためのマルチスライス撮影の模式図である。この図1においては、図１５に示したＭＲＩ装置を基準とした座標系３４において、ｚ方向に沿って厚さｄのスライスをスライス２１からスライス３２まで連続して選択した状態を示している。さらに、被検体を基準とした座標系３３を定義し、計測開始の０時間において座標系３４と座標系３３との座標は一致しているものとする。
【００１４】
ここで、被検体の体動方向にマルチスライス方向が設定され、スライス２１からスライス２４の範囲を領域１（端部領域）、スライス２５からスライス２８の範囲を領域２、スライス２９からスライス３２を領域３（端部領域）と区分する。領域２は実際に撮影したい領域である。なお、本発明では、スライスを切り出す領域を３個に区分すれば良く、各領域のスライス数は図１で説明した数に限らない。
【００１５】
図２は、図１に示したy方向への投影図であり、３５は被検体の標的部位である。標的部位３５はz方向に領域２と等しい長さを有し、z方向に往復運動することが可能である。ここで、標的部位３５の運動を仮定する。図２の（Ａ）〜（Ｄ）に、時刻tn、時刻tn+1、時刻tn+2、時刻tn+3における標的部位３５の位置を示す。
【００１６】
標的部位３５上の定点３６に着目すると、時刻tnにおいてスライス２７にある定点３６の位置を０として、時刻tn+1、時刻tn+2、時刻tn+3における定点３６の位置は、それぞれ、+ｄ、0、−２ｄとなる。ここで、dは図１で示したスライス幅である。以上の定点３６の変化をグラフにすると図３の（Ａ）のように示される。
【００１７】
しかしながら、図３の（Ａ）は、上述の通り、ＭＲＩ装置を基準とした座標系３４で見た定点３６の変化である。標的部位３５を基準とした座標系３３では定点３６は静止しているので、図３の（Ｂ）のように示されるのは明らかである。
【００１８】
本発明の一実施形態は、図３の（Ａ）のように運動する標的部位３５の定点３６を図３の（Ｂ）のように、静止させ、動きによる画質の劣化を低減させる。
【００１９】
次に、図４に示すパルスシーケンスによって画像を得る手順を説明する。なお、以下の説明において、各部の動作制御、後述する画像データの並び替え等は、制御ユニット８により行われる。
【００２０】
図４のパルスシーケンスは、高周波磁場及びｘ、ｙ、ｚ方向の傾斜磁場の印加と、エコー取り込みのタイミングとを示したものである。図４のパルスシーケンスはグラジエントエコー法として知られている。
【００２１】
高周波磁場７１とスライス傾斜磁場７２で関心領域を選択励起し、位相エンコード傾斜磁場７３と読み出し傾斜磁場７４でエコーに位置情報７５を付与する。このエコーは操作卓９に内蔵された計算機のメモリに格納され、このパルスシーケンスを図４に示すＴＲの間隔で繰り返し、画像再構成に必要な数のエコーを取得し、画像再構成処理によって１個の２次元画像が得られる。
【００２２】
図１の上記領域１、領域２、および領域３をマルチスライス計測するためには、図５に示すように、図４のパルスシーケンスをＴＲの間にマルチスライスの数に等しく繰り返すことによって達成される。なお、図５では簡単のため３枚のマルチスライス計測を示している。高周波磁場の中心周波数は、スライス位置に応じて異なる中心周波数が選択されて、スライス２１からスライス３２までが各々区別される。
【００２３】
ここで、図５のパルスシーケンスは２種類のパルスシーケンスが組み合わされている。領域１および領域３のスライスは、８１および８３に示すように、７３の位相エンコード傾斜磁場を印加しないパルスシーケンスによって計測される。一方領域２のスライスは８２に示すように７３の位相エンコード傾斜磁場を印加するパルスシーケンスによって計測される。さらに、領域１と領域３のスライスは８１および８３に示すように、励起角度が１８０°の高周波磁場７１１によって励起され、領域２のスライスは８２に示すように、励起角度がα°の高周波磁場７１によって励起される。なお、αは任意の角度を表しており、ここではα＝９０°とする。
【００２４】
このように、図５に示したマルチスライス計測では、位相エンコード傾斜磁場、高周波磁場の励起角度の組み合わせが異なる２種類のパルスシーケンスが連結されている。
【００２５】
次に、図５のパルスシーケンスを実行することによって、各スライスの磁気スピンの振る舞いがどのようになるかを説明し、本発明によって標的部位の変位を算出する機構を明確にする。
【００２６】
図６から図９は、図２で示した時刻tn、時刻tn+1、時刻tn+2、および時刻tn+3における標的部位３５の位置と、その時刻における各スライス内の磁気スピンの方向を示している。各スライスの全ての磁気スピンは、計測開始前には静磁場方向と同じ+ｚ方向を向いており、ｙ方向成分は０である。ＭＲＩ装置ではｙ方向成分の磁気スピンのみ検出することができる。
【００２７】
ここで、時刻tnは上記パルスシーケンスのｎ番目の繰り返しを実行する時刻とし、上記隣り合う時刻との差はTRである。また、上記画像再構成に必要なエコーの数をNとし、ｎ＜Nである。
【００２８】
図６の（Ａ）に示すように、時刻tnにおいて標的部位３５はスライス２５からスライス２８の位置にある。図５に示したパルスシーケンスを実行すると、スライス２１からスライス２４およびスライス２９からスライス３２の磁気スピンは１８０°励起され、スライス２５からスライス２８の磁気スピンは９０°励起される。
【００２９】
したがって、時刻tnにおける各スライス内の磁気スピンの方向は図６の（Ｂ）に示すように、スライス２１からスライス２４およびスライス２９からスライス３２の磁気スピンは１８０°回転し、スライス２５からスライス２８の磁気スピンは９０°回転している。この時、スライス２５からスライス２８までが磁気スピンのｙ方向成分を持っているので、スライス２５からスライス２８までの信号が検出される。
【００３０】
次に、時刻tn+1において、図７の（Ａ）に示すように、標的部位３５はスライス２６からスライス２９の位置にある。図５のパルスシーケンスを実行すると、スライス２１からスライス２４およびスライス２９からスライス３２の磁気スピンは１８０°励起され、スライス２５からスライス２８の磁気スピンは９０°励起される。
【００３１】
したがって、時刻tn+1における各スライス内の磁気スピンの方向は図７の（Ｂ）に示すように、スライス２１からスライス２４およびスライス３０からスライス３２の磁気スピンは１８０°回転し、スライス２５からスライス２８の磁気スピンは９０°回転し、スライス２９の磁気スピンは２７０°回転している。この時、スライス２５からスライス２９までが磁気スピンのｙ方向成分を持っているので、スライス２５からスライス２９までの信号が検出される。
【００３２】
ここで、スライス２９の磁気スピンは、時刻tnにおけるスライス２８の磁気スピンの残成分が１８０°励起されたものである。スライス２９における磁気スピンの検出により、３５の標的部位がスライス幅に等しい+dだけ移動したことが算出できる。すなわち、領域３における磁気スピンの検出が、標的部位の変位量算出の指標となることがわかる。
【００３３】
次に、時刻tn+2において、図８の（Ａ）に示すように、標的部位３５はスライス２５からスライス２８の位置にある。標的部位３５は時刻tnの位置と同一位置なので、磁気スピンの状態は図８の（Ｂ）に示すように、図６の（Ｂ）と同一状態である。
【００３４】
最後に、時刻tn+3において、図９の（Ａ）に示すように標的部位３５はスライス２３からスライス２６の位置にある。図５のパルスシーケンスを実行すると、スライス２１からスライス２４およびスライス２９からスライス３２の磁気スピンは１８０°励起され、スライス２５からスライス２８の磁気スピンは９０°励起される。
【００３５】
したがって、時刻tn+3における各スライス内の磁気スピンの方向は、図９の（Ｂ）に示すように、スライス２１からスライス２２およびスライス２７からスライス３２の磁気スピンは１８０°回転し、スライス２５からスライス２８の磁気スピンは９０°回転し、スライス２３およびスライス２４の磁気スピンは２７０°回転している。
【００３６】
この時、スライス２３からスライス２８までが磁気スピンのｙ方向成分を持っているので、スライス２３からスライス２８までの信号が検出される。ここで、スライス２３およびスライス２４の磁気スピンは、時刻tn+2におけるスライス２５およびスライス２６の磁気スピンの残成分が１８０°励起されたものである。
【００３７】
このように、z方向に運動する標的部位を図５のパルスシーケンスを用いて計測すると、領域１および領域３において検出された磁気スピンから、標的部位の変位を算出することができる。
【００３８】
以上で、図５のパルスシーケンスの働きを説明したが、次に、上記標的部位３５の変位を算出する手順を説明する。なお、計測した信号は、操作卓９内の画像データメモリにスライスごとに計測順序に従って格納されている。ここでは、図７における標的部位３５の変位を算出する手順を説明する。
【００３９】
図１０に時刻tnから時刻tn+3までのスライス２９のエコーのメモリ上の配置を示す。上述のとおり、１スライスあたりのエコーの総数はNであり、図１０の（Ａ）に示すように、エコー７は時刻tn、図１０の（Ｂ）に示すように、エコー５８は時刻tn+1、図１０の（Ｃ）に示すように、エコー５９は時刻tn+２、図１０の（Ｄ）に示すように、エコー６０は時刻tn+3に計測されたエコーである。
【００４０】
同様に、図１１にスライス３０のエコーのメモリ上の配置を示す。図１１の（Ａ）に示すように、エコー６１は時刻tn、図１１の（Ｂ）に示すように、エコー６２は時刻tn+1、図１１の（Ｃ）に示すように、エコー６３は時刻tn+2、図１１の（Ｄ）に示すように、エコー６４は時刻tn+3に計測されたエコーである。
【００４１】
まず、スライス２９のエコーに着目すると、エコー５７から６０を個別に再構成し、その信号強度を時刻に沿ってグラフにプロットすると、図１２の（Ａ）に示すグラフが得られる。図７の（Ｂ）に示したように、スライス２９の信号は時刻tn+1で検出されるので、時刻tn+1において信号強度は最大となる。
【００４２】
ここで、時刻tn+1における信号強度は、正味の信号成分８１と雑音成分８２に分解される。雑音成分とは１８０°励起の不完全性等によって標的部位以外から発生する磁気スピンのｙ方向成分である。同様にして、スライス３０のエコーから図１２の（Ｂ）に示すグラフが得られる。
【００４３】
図７の（Ｂ）に示したように、スライス３０の信号は検出されないので、図１２の（Ｂ）では雑音成分のみがプロットされている。
【００４４】
したがって、図１２の（Ａ）と図１２の（Ｂ）とを比較すると、時刻tn+1においてスライス２９のみが信号増加しているので、この時刻の標的部位の変位は１スライス分の幅すなわちｄに等しいと求められる。
【００４５】
このように、領域１および領域３の全てのスライスに対して、各々の時刻のエコーを時系列に比較すれば、標的部位がどの時刻にどれだけ変位したかを求めることができる。
【００４６】
以上の説明により、領域１及び領域３のスライスの信号から標的部位の変位を算出する手順を示したので、次に、領域２のスライスの信号処理手順を説明する。ここでは、標的部位の変位情報を用いて領域２のスライス間でエコーの並び替えを行い、標的部位の動きが相殺されたスライスのエコー列に変換する。つまり、複数のスライス画像データを格納する画像データメモリを備え、上記制御手段は、被検体の体動前の複数のスライス画像に基づき、上記被検体の撮像部位のそれぞれに対応する上記画像データメモリの記憶領域を定め、上記体動情報に従って、被検体の体動後に撮像された複数のスライス画像が、上記被検体の撮像部位に対応する上記画像データメモリの記憶領域に格納されるよう並び替える。
【００４７】
図１３は、図５に示したパルスシーケンスによる計測が終了した直後における、スライス２５、スライス２６、スライス２７、スライス２８のエコーのメモリ上の配置を示す。
【００４８】
上述のとおり、１スライスあたりのエコーの総数はNであり、スライス２５において、エコー４１は時刻tn、エコー４２は時刻tn+1、エコー４３は時刻tn+2、エコー４４は時刻tn+3に計測されたエコーである。
【００４９】
スライス２６において、エコー４５は時刻tn、エコー４６は時刻tn+1、エコー４７は時刻tn+2、エコー４８は時刻tn+3に計測されたエコーである。
【００５０】
また、スライス２７において、エコー４９は時刻tn、エコー５０は時刻tn+1、エコー５１は時刻tn+2、エコー５２は時刻tn+3に計測されたエコーである。
【００５１】
また、スライス２８において、エコー５３は時刻tn、エコー５４は時刻tn+1、エコー５５は時刻tn+2、エコー５６は時刻tn+3に計測されたエコーである。
【００５２】
図６の（Ｂ）、図７の（Ｂ）、図８の（Ｂ）、図９の（Ｂ）において磁気スピンの状態と連動して図１４のエコー配置を観察すると、図７の（Ｂ）に示すように、標的部位３５が１スライス分だけ右方向にシフトしているので、図１４では各スライスにおいて時刻tn+1のエコーが１スライス分だけ左方向にシフトしている。すなわち、図１４の（Ａ）における時刻tn+1のエコー４２がエコー４６に、図１４の（B）における時刻tn+1のエコー４６がエコー５０に、図１４の（C）における時刻tn+1のエコー５０がエコー５４に書き換えられている。
【００５３】
このように、標的部位３５の変位を相殺するためには、各スライスのエコーを、変位と反対方向のスライスに上書きすれば良い。ただし、エコーの並べ替えは領域２のスライス間でのみ成立し、領域１または領域３のスライスのエコーと領域２のスライスのエコーの交換は成立しないことに注意しなければならない。
【００５４】
したがって、図１４の（D）のスライス２８の時刻tn+1のエコー５４は、上書きをすることなく欠損領域としている。同様にして時刻tn+2、時刻tn+3のエコーをスライス間で並べ換えると、図１３に示したエコーは図１４のように示すエコーのように並べ替えられる。結局、図１４のエコー配列が最終の配列であり、さらに画像再構成によって動きの影響が低減された画像が得られる。
【００５５】
なお、エコー並べ替えの結果、スライス２５、スライス２６、スライス２８のように画像再構成に必要な数のエコーが全て揃わない場合には、スライス２５、スライス２６、スライス２８を廃棄するか、欠損領域を再撮像する等の適当なデータ補完を行えばよい。
【００５６】
例えば、パラレルイメージングのような、画像再構成に必要な数のエコーを全て取得しなくとも、画像を復元することができる手法を併用すれば、上記のエコー欠損の問題は緩和される。通常、画像再構成に必要な数のエコーが不足したデータを画像再構成すると、撮影視野が狭くなる効果によって画像の折り返しが発生する。このような画像の画素値は、本来の画素値と折り返しの画素値の重ね合わせとなっている。
【００５７】
パラレルイメージングでは、この画像折り返しの問題を解決するために、複数個の受信コイルを配置してエコーを計測する。画像再構成において、予め計測した個々の受信コイルの感度分布を用いれば、本来の画素値と折り返しの画素値を分離することができるので、上記折り返しのある画像を折り返しの無い画像に復元することができる。
【００５８】
パラレルイメージングは計測するエコー数の低減によって撮影時間を短縮する方法であるが、本発明においては、エコー並び替えによるエコー欠損を同様にしてパラレルイメージングの画像再構成によって復元することができる。
【００５９】
実際の撮影では上述した本発明の一実施形態以上の数のマルチスライス撮影が行われるので、領域２を撮影したい領域に対して余裕をもって設定し、領域１および領域３との境界領域のスライスを破棄しても実用上問題はない。
【００６０】
なお、上記説明では領域２の撮影にグラジエントエコー法を適用したが、スピンエコー法等の他のパルスシーケンスを適用しても同等の効果が得られる。
【００６１】
また、上述した例は、領域１、３のスライス信号から標的部位３５の変位を算出し、スライス間のエコー信号のデータ並び替えを行う例であるが、領域１、３のスライス信号から標的部位３５の変位を算出し、算出した変位に合わせてスライス位置を補正するように構成しても、短い撮影時間で、かつ、十分な枚数のスライス画像の取得が可能な、被検体の体動を検出して補正する機能を有するＭＲＩ装置を実現することができる。例えば、標的部位３５の変位を算出し、同一位置に戻る周期を算出して、その周期に合わせて、標的部位３５が同一位置となるタイミングでゲーティングし、撮影することも可能である。
【００６２】
また、上述した例（例えば、腹部アキシャル撮像）の場合は、領域１、３の両領域のスライス信号を使用して体動を検出しているが、領域１又は３のいずれか一方の領域のスライス信号を使用して体動を検出することも可能である。例えば、腹部コロナル撮像の場合は、被検体の寝台側方向への体動は制限されているため、寝台の反対側の方向への体動をモニターすればよいことから、領域１又は３のいずれか一方のスライス信号を使用すればよい。
【００６３】
さらに、本発明において、体動が検出された場合のみ、スライス画像の並び替えを行えばよいのであるから、体動が検出されなかった場合は、領域２のみのデータを使用すればよい。この場合は、領域１、３のデータは破棄することができる。
【図面の簡単な説明】
【００６４】
【図１】本発明の一実施形態を説明するためのマルチスライス撮影の模式図である。
【図２】図１に示したy方向への投影図である。
【図３】図２に示した定点の変化を示すグラフである。
【図４】高周波磁場及び傾斜磁場の印加とエコー取り込みのタイミングとを示したパルスシーケンスを示す図である。
【図５】領域１、領域２、領域３をマルチスライス計測するためのパルスシーケンスを示す図である。
【図６】本発明の一実施形態における磁気スピンの状態模式図である。
【図７】本発明の一実施形態における磁気スピンの状態模式図である。
【図８】本発明の一実施形態における磁気スピンの状態模式図である。
【図９】本発明の一実施形態における磁気スピンの状態模式図である。
【図１０】本発明の一実施形態におけるデータ配列の模式図である。
【図１１】本発明の一実施形態におけるエコー信号のメモリ上の配置を説明する図である。
【図１２】エコー信号強度の時間変化を示すグラフである。
【図１３】本発明の一実施形態におけるパルスシーケンス直後のメモリ上のデータ配列を示す図である。
【図１４】本発明の一実施形態におけるデータ配列を並び替えた後の状態を示す図である。
【図１５】本発明が適用されるＭＲＩ装置の概略構成図である。
【符号の説明】
【００６５】
１・・・超伝導コイル、２・・・傾斜磁場発生コイル、３・・・高周波磁場発生コイル、４・・・受信コイル、５・・・傾斜磁場電源、６・・・高周波磁場電源、７・・・寝台、８・・・制御ユニット、９・・・操作卓、２１〜３２・・・スライス、３３・・・被検体を基準とした座標系、３４・・・ＭＲＩ装置を基準とした座標系、３５・・・標的部位
【図１】
2008067781.tif 000003
【図２】
2008067781.tif 000004
【図３】
2008067781.tif 000005
【図４】
2008067781.tif 000006
【図５】
2008067781.tif 000007
【図６】
2008067781.tif 000008
【図７】
2008067781.tif 000009
【図８】
2008067781.tif 000010
【図９】
2008067781.tif 000011
【図１０】
2008067781.tif 000012
【図１１】
2008067781.tif 000013
【図１２】
2008067781.tif 000014
【図１３】
2008067781.tif 000015
【図１４】
2008067781.tif 000016
【図１５】
2008067781.tif 000017